(57)【要約】【課題】  シュリンク包装を容器に施すときに、シュリンク包装体を容器所定位置に確実に装着するための技術を提供すること。【解決手段】  筒状をなすシュリンク包装材２が装着される容器１であって、前記容器１を構成する外周壁１１の所定位置に、周方向に延び、かつ外側へ突出する少なくとも一条の凸状部１３を形成する。シュリンク包装材２に対する加熱工程開始直後の段階から、シュリンク包装材２は、前記凸状部１３によって首止めされた状態となるので、続く熱収縮過程においても位置ズレ等を起こすことがなくなる。【選択図】  図５
2006143226.tif 000002
【特許請求の範囲】
【請求項１】
筒状をなすシュリンク包装材が装着される容器であって、
前記容器を構成する外周壁の所定位置に、周方向に延び、かつ外側へ突出する少なくとも一条の凸状部が形成されたシュリンク包装用容器。
【請求項２】
容器底部側から容器開口部側へ向けて末広がるテーパー状外周壁の場合では、容器フリンジ側の外周壁端部よりもやや下方位置に、前記凸状部が設けられていることを特徴とする請求項１記載のシュリンク包装用容器。
【請求項３】
前記凸状部は、該凸状部を上下方向に垂直に切断した断面形状で見たときに、該凸状部の天頂部に至るフリンジ側傾斜面の傾斜角度αが、同天頂部に至る容器底部側傾斜面の傾斜角度βよりも大きい（α＞β）ことを特徴とする請求項２記載のシュリンク包装用容器。
【発明の詳細な説明】
【技術分野】
【０００１】
本発明は、シュリンク包装技術に関する。より詳しくは、シュリンク包装を容器に施すときに、シュリンク包装体を容器所定位置に確実に装着するための技術に関する。
【背景技術】
【０００２】
一般に、シュリンク包装と称される容器包装技術が知られている。このシュリンク包装は、熱収縮性のあるフィルムやシートなどに熱を加えることによって、前記フィルムやシートなどを容器等に密着一体化させる包装技術である。
【０００３】
このシュリンク包装は、（１）グラビア印刷されたフィルムを容器に密着させる構成であるため、表面が粗な容器表面（例えば、曲面）に対して直接印刷を施すよりもデザイン表示が鮮明となること、（２）容器と蓋の接合（又は嵌合）部位にシュリンク包装することにより改ざん防止や偶発的開封事故の防止に役立つこと、（３）容器全体をシュリンク包装することで通気を遮断し、内容物の鮮度保持に寄与すること、（４）容器を保護できること、などの理由から、今後、更に普及する可能性が高いと考えられる。
【０００４】
ここで、特許文献１には、典型的なシュリンク包装体（包装材）が開示されている。開示されたシュリンク包装体は筒状であり、開封用のミシン目を備えている。このシュリンク包装体は、容器に装着された状態で加熱されて周方向に熱収縮し、容器に密着一体化される。
【０００５】
特許文献２には、上下のカップ状容器を一体化するためのシュリンク包装技術が開示されている
【０００６】
特許文献３には、使用時に、容器本体とシュリンクフィルムとが分離しないようにするために、容器本体の側壁の傾斜角度を所定範囲に設定された包装容器が開示されている。
【０００７】
特許文献４には、シュリンク包装される容器であって、容器本体の上部から容器底部にまで延びる、周方向所定間隔で形成された突起を備えるカップ状容器が開示されている。
【特許文献１】特開２００４−０１８０８９号公報。
【特許文献２】特開２００２−３０８２２８号公報。
【特許文献３】特開平１１−０１１５３９号公報。
【特許文献４】特開２００３−３００５１６号公報。
【発明の開示】
【発明が解決しようとする課題】
【０００８】
容器に対してシュリンク包装を施す工程では、加熱収縮する過程においてフィルムやシートが容器から脱落したり、位置ズレした状態で装着されたり、皺がよったりするという問題があった。特に、側胴部がテーパー形状を有する容器に対して円筒形状に形成された熱収縮性フィルムを被せ、該フィルムを加熱収縮させるシュリンク包装工程の場合では、前記問題が発生し易かった。
【０００９】
そこで、本発明は、シュリンク包装を容器に施すときに、シュリンク包装体を容器所定位置に確実に装着するための技術を提供することを主な目的とする。
【課題を解決するための手段】
【００１０】
まず、本発明は、筒状をなすシュリンク包装材が装着される容器であって、前記容器を構成する外周壁の所定位置に、周方向に延び、かつ外側へ突出する少なくとも一条の凸状部が形成されたシュリンク包装用容器を提供する。
【００１１】
例えば、容器底部側から容器開口部側へ向けて末広がるテーパー状の外周壁に対してシュリンク包装する場合では、容器フリンジ側の外周壁端部よりもやや下方位置に、前記凸状部が設けるようにする。
【００１２】
前記凸状部は、容器の所定位置（包装予定位置）へ定着された熱収縮性のシュリンク包装材が加熱されて収縮する過程で、該包装材が前記定着位置から動いてしまうことにより、容器から脱落したり、位置ズレした状態で容器に装着されたり、皺がよった状態で容器に装着されたりすることを有効に防止するためのストッパー、あるいは位置決め部位としての役割を果たす。
【００１３】
即ち、容器の外周壁に、周方向に形成された凸状部周辺に位置したシュリンク包装材部分は、熱収縮するときに、該凸状部に対して締め付けるように密着するため、加熱収縮過程の開始段階で即座にシュリンク包装材は首止めされた状態となる。この結果、シュリンク包装材の位置ズレ等の発生が無くなる。
【００１４】
更に、本発明では、容器外周に形成した凸状部を、上下方向に垂直に切断した断面形状で観察したときに、該凸状部の天頂部に至るフリンジ側傾斜面の傾斜角度αが、同天頂部に至る容器底部側傾斜面の傾斜角度βよりも大きくなるように工夫する（α＞β）。
【００１５】
この工夫によって、前記凸状部に、ストッパー、あるいは位置決め部位としての機能をより有効に発揮させることができる。即ち、凸状部の天頂部に至るまでの上方側傾斜面の角度を急傾斜とすることによって、加熱収縮過程においてシュリンク包装材が下方側へ引っ張られて位置ズレしてしまうことをより確実に防止できる。
【発明の効果】
【００１６】
本発明によれば、シュリンク包装を容器に施すときに、シュリンク包装体を容器所定位置に確実に装着することができる。より具体的には、熱収縮性のシュリンク包装材が加熱されて収縮する過程で、該包装材が容器から脱落したり、位置ズレした状態で容器に装着されたり、皺がよった状態で容器に装着されたりすることを有効に防止することができる。
【発明を実施するための最良の形態】
【００１７】
本発明に係る好適な実施形態について、添付した図面を参照しながら説明する。なお、本実施形態は、本発明の一実施形態を示したものであり、これにより本発明の範囲が狭く解釈されることはない。
【００１８】
図１は、本発明に係るシュリンク包装用容器の好適な一実施形態の外形形状を説明するための図である。
【００１９】
図１中に符号１で示されたシュリンク包装用容器（以下、単に「容器」と称する。）は、ソフトクリームアイスのコーン菓子部分を収容するために設計された合成樹脂製の容器である。この容器１の外周壁１１は、上方から下方へ徐々に口径が小さくなるテーパー形状を備える。加えて、容器１の下端部分には先細りの尖頭部１３からなる底部が形成され、上端部には、開口部１４を取り巻くように形成されたフリンジ部１２が形成されている。このフリンジ部１４は、図示しない蓋の嵌合部位となる。
【００２０】
ここで、外周壁１１のフリンジ１２の近傍位置には、周方向に延設された一条の凸状部１３が形成されている。なお、この凸状部１３は、少なくとも一条形成すればよく、それ以上の条数、例えば、二条形成することは自由である。
【００２１】
図２は、図１中に符号Ｘで示された円囲い領域、即ち、容器１の上端部周辺領域を拡大して示す図である。
【００２２】
この図１２に示されているように、凸状部１３は、外周壁１１の上端部に形成されている。より具体的には、反り返り形状を有するフリンジ部１２の内側に形成された逆テーパー突出部１５との間に、数ミリ程度の幅が確保された外周壁端部１１ａを間に挟んだ位置に、周方向に凸状部１３が形成されている。なお、外周壁端部１１ａは、後述するシュリンク包装の一端部が定着（密着）する場所となる。
【００２３】
図３は、図２中に符号Ｙで示された円囲い領域、即ち凸状部１３の周辺領域を拡大して示す図である。
【００２４】
この図１３に示されているように、凸状部１３は、これを縦断面視したときに、略台形の形態を備え、外周壁１１からその天頂部１３１までの高さｈ（図１３参照）は、０．５〜１．０ｍｍ程度、幅は３〜５ｍｍ程度に設計されている。
【００２５】
平坦な天頂部１３１の上方に位置するフリンジ側傾斜面１３２の外周壁１１に対する角度α（図１３参照）は、天頂部１３１の下方側に位置する容器底部側傾斜面１３３の外周壁１１に対する角度β（図１３参照）よりも大きくなるように設計されている。なお、角度αは、３０度以上、より好ましくは４０度以上が好ましい。
【００２６】
図４は、シュリンク包装工程に係わる段階において、シュリンク包装材２が容器１に向けて装着される直前の段階を示す図である。なお、シュリンク包装材２には、既に容器デザインに係わる印刷が施されている。
【００２７】
シュリンク包装材２は、熱収縮性のプラスチックフィルムであり、この場合では、長方形のフィルムシートの両端部を貼り合わせて、円筒状とされたものが採用されている。なお、図４中の符号２１は、フィルムの貼り合わせ部位において、内側のフィルム端部が線状に見える様子を示す。なお、本発明との関係において、シュリンク包装材２の材質は、シュリンク包装の確実性等を勘案して、決定することができる。
【００２８】
容器１が駆動プレート等の上に上下逆さまに置かれた状態（フリンジ部１２が下となる状態）で、シュリンク包装材２が待機している直下位置へ搬送されてくると、扁平に折り畳まれて収容されていたシュリンク包装材２は、円筒形状をなす状態を作って、下方（矢印Ｚ方向）へ落下され、容器１の外周壁１１部分に装着される。
【００２９】
図５は、シュリンク包装材２が容器１の外周壁１１部分に装着された段階を示している。
【００３０】
シュリンク包装材２が容器１の外周壁１１部分に装着されたとき、該シュリンク包装材２の下端部２２は、外周壁端部１１ａに対向する位置へ定着し、その状態のまま、続く加熱工程に入る。なお、図５の矢印Ｈは、シュリンク包装材２に対して、熱が加えられる様子を示している。
【００３１】
図６は、シュリンク包装材２が熱収縮して、容器１の外周壁１１に密着していく様子を示す拡大図である。
【００３２】
図６中の符号２ａは、熱収縮前のシュリンク包装材を示している。このシュリンク包装材２ａは、容器１の外周壁端部１１ａに対向する位置にまで差し込まれている（図６参照）。この状態で加熱処理されると、容器１の外周壁１１の周壁面方向へ（図６の矢印Ｖ方向へ）収縮していき、最終的には外周壁１１に密着された状態となる。図６の符号２ｂは、熱収縮が完了し外周壁１１に密着した状態のシュリンク包装材を示している。
【００３３】
熱収縮過程では、シュリンク包装材２ａを上方側へ持ち上げる力（図６矢印Ｐ参照）が働くので、この力が、通常、シュリンク包装材２ａの位置ズレ等を発生させる原因となる。しかし、本発明では、凸状部１３を外周壁１１に形成したことによって、図６向かって上方へのシュリンク包装材２ａへの位置ズレを有効に防止しながら、シュリンク包装材２ａを外周壁１１の所定位置へ密着させることができる。
【００３４】
図７に基づいて、より詳しく説明する。なお、上下方向は、図７の上下方向に準じている。円筒状のシュリンク包装材２ａが容器１のテーパー形状を有する外周壁１１にはめ込まれるように、容器１の上方位置から落下されて装着されたとき、このシュリンク包装材２ａでは、該包装材２ａの下端部２２における包装材２ａから上端外周壁部１１ａまでの距離Ｄ１が、それよりも上方側（図６に向かって上方側）の外周壁部１１ｂ（図７参照）における包装材２ａから上端外周壁部１１ａまでの距離Ｄ２よりも小さくなる（Ｄ１＜Ｄ２）。
【００３５】
このため、シュリンク包装材２ａに一様に熱が加えられとき、該包装材２ａの下端部２２が、その他の部分よりも早く外周壁１１に接触し、凸状部１３を包み込むように外周壁１１に密着する。上記したように、凸状部１３のフリンジ側傾斜面１３２をより急傾斜としているので、凸状部１３は、シュリンク包装材２ａの位置ズレ（とくに上方への位置ズレ）のストッパーとしての役割を効果的に果たす。
【００３６】
この結果、シュリンク包装材２ａは、加熱工程開始直後の段階から凸状部１３によって首止めされた状態となるので、続く熱収縮過程においても位置ズレ等を起こすことがなくなる。
【００３７】
図８は、シュリンク包装工程が完了した容器１の状態を示す図である。この図８に示すように、凸状部１３で首止めされながら加熱工程の処理を受けたシュリンク包装材２は、容器１の外周壁１１の正規位置に正確に密着される。
【産業上の利用可能性】
【００３８】
本発明は、熱収縮性のシュリンク包装材によって包装が施される容器として利用できる。シュリンク包装を容器に施すときに、シュリンク包装体を容器所定位置に確実に装着するための技術として利用できる。
【図面の簡単な説明】
【００３９】
【図１】本発明に係るシュリンク包装用容器（１）の好適な一実施形態の外形形状を説明するための図である。
【図２】図１中に符号Ｘで示された円囲い領域、即ち、容器（１）の上端部周辺領域を拡大して示す図である。
【図３】図２中に符号Ｙで示された円囲い領域、即ち凸状部（１３）の周辺領域を拡大して示す図である。
【図４】シュリンク包装工程に係わる段階において、シュリンク包装材（２）が容器（１）に向けて装着される直前の段階を示す図である。
【図５】シュリンク包装材（２）が容器（１）の外周壁（１１）部分に装着された段階を示す図である。
【図６】シュリンク包装材（２）が熱収縮して、容器（１）の外周壁（１１）に密着していく様子を示す拡大図である。
【図７】凸状部（１３）のシュリンク包装材（２）の位置ズレ防止機能を説明するための図である。
【図８】シュリンク包装工程が完了した段階の容器（１）の状態を示す図である。
【符号の説明】
【００４０】
１  容器（シュリンク包装用容器）
２  シュリンク包装材
１１  外周壁
１２  （容器の）フリンジ部
１３  凸状部
２２  シュリンク包装材の端部
１３１  天頂部
１３２  容器上方側（フリンジ側）傾斜面
１３３  容器下方側（容器底部側）傾斜面
Ｈ  熱
【図１】
2006143226.tif 000003
【図２】
2006143226.tif 000004
【図３】
2006143226.tif 000005
【図４】
2006143226.tif 000006
【図５】
2006143226.tif 000007
【図６】
2006143226.tif 000008
【図７】
2006143226.tif 000009
【図８】
2006143226.tif 000010
【手続補正書】
【提出日】平成17年10月27日(2005.10.27)
【手続補正１】
【補正対象書類名】明細書
【補正対象項目名】００１９
【補正方法】変更
【補正の内容】
【００１９】
図１中に符号１で示されたシュリンク包装用容器（以下、単に「容器」と称する。）は、ソフトクリームアイスのコーン菓子部分を収容するために設計された合成樹脂製の容器である。この容器１の外周壁１１は、上方から下方へ徐々に口径が小さくなるテーパー形状を備える。加えて、容器１の下端部分には先細りの尖頭部１３からなる底部が形成され、上端部には、開口部１４を取り巻くように形成されたフリンジ部１２が形成されている。このフリンジ部１２は、図示しない蓋の嵌合部位となる。
【手続補正２】
【補正対象書類名】明細書
【補正対象項目名】００３４
【補正方法】変更
【補正の内容】
【００３４】
図７に基づいて、より詳しく説明する。なお、上下方向は、図７の上下方向に準じている。円筒状のシュリンク包装材２ａが容器１のテーパー形状を有する外周壁１１にはめ込まれるように、容器１の上方位置から落下されて装着されたとき、このシュリンク包装材２ａでは、該包装材２ａの下端部２２における包装材２ａから外周壁部１１ａまでの距離Ｄ２が、それよりも上方側（図６に向かって上方側）の外周壁部１１ｂ（図７参照）における包装材２ａから外周壁部１１ｂまでの距離Ｄ１よりも小さくなる（Ｄ１＞Ｄ２）
【手続補正３】
【補正対象書類名】図面
【補正対象項目名】図１
【補正方法】変更
【補正の内容】
【図１】
2006143226.tif 000011
【手続補正４】
【補正対象書類名】図面
【補正対象項目名】図７
【補正方法】変更
【補正の内容】
【図７】
2006143226.tif 000012
【手続補正５】
【補正対象書類名】図面
【補正対象項目名】図８
【補正方法】変更
【補正の内容】
【図８】
2006143226.tif 000013
【手続補正書】
【提出日】平成18年3月1日(2006.3.1)
【手続補正１】
【補正対象書類名】特許請求の範囲
【補正対象項目名】全文
【補正方法】変更
【補正の内容】
【特許請求の範囲】
【請求項１】
筒状をなすシュリンク包装材が装着される容器であって、
前記容器は、容器底部側から容器開口部側へ向けて末広がるテーパー状外周壁を有し、
容器フリンジ側の外周壁端部よりもやや下方位置に、周方向に延び、かつ外側へ突出する少なくとも一条の凸状部が形成され、
該凸状部を上下方向に垂直に切断した断面形状で見たときに、前記凸状部の天頂部に至るフリンジ側傾斜面の傾斜角度αが、同天頂部に至る容器底部側傾斜面の傾斜角度βよりも大きい（α＞β）シュリンク包装容器。